(57)【特許請求の範囲】
【請求項１】
給紙部から給送された用紙に画像データを印写する印写部及び該印写部から給送された用紙を排紙トレーへ送る排紙部を有するプリンタに、ファクシミリ受信によって前記印写部が印写した用紙を受ける受信トレーと、前記排紙部から排紙トレーへ送られる用紙の経路を前記排紙トレー及び受信トレーへ切換える切換え手段とを備えたファクシミリ機が取外しを可能に装着されていることを特徴とするプリンタ装置。
【発明の詳細な説明】
【０００１】
【発明の属する技術分野】
本発明は印写部を有するプリンタにファクシミリ機が取外しを可能に装着されているプリンタ装置に関する。
【０００２】
【従来の技術】
プリンタ装置は、図１３に示すように、給紙部１００から給紙された用紙Ｃに文字等の画像データを印写する印写部１０１及び該印写部１０１から給送された用紙Ｃを排紙トレー１０２へ送る排紙部１０３を有するプリンタＡに、原稿を読み取る手段及び読み取った原稿の画像データを送信する手段を有する画像データ処理部１０５を備えたファクシミリ機Ｂが取外しを可能に装着された分離タイプと、図示していないが前記プリンタＡにファクシミリ機Ｂが一体に組込みされた一体タイプとが知られている。
【０００３】
分離タイプのプリンタ装置において、プリンタに接続されているパーソナルコンピュータ及び他機のファクシミリ機等から印写信号が出力されたとき、給紙部１００から印写部１０１へ給送された用紙Ｃに文字等の画像データが印写され、該用紙Ｃが排紙部１０３へ給送され、該排紙部１０３から一つの排紙トレー１０２へ送られる。また、原稿Ｄが原稿送り部１０４から画像データ処理部１０５へ給送されたとき、原稿Ｄの画像データが画像データ処理部１０５で読み取りされ、原稿Ｄは原稿トレー１０６で受止められる。
【０００４】
一体タイプのプリンタ装置は、特開平７−９５３５６号公報に記載されている如く前記排紙トレー及びファクシミリ受信によって前記印写部が印写した用紙を受ける受信トレーと、前記排紙部から排紙トレーへ送られる用紙の経路を前記排紙トレー及び受信トレーへ切換える切換え手段とを備えており、パーソナルコンピュータ、他機のファクシミリ機等から出力された印写信号に応じて切換え手段を駆動させ、前記用紙の経路を切換え、パーソナルコンピュータが出力した印写信号によって画像データが印写されたコンピュータ受信用紙は排紙トレーへ送り、他機のファクシミリ機が出力した印写信号によって画像データが印写されたファクシミリ受信用紙は受信トレーへ送られるように構成されている。
・
【０００５】
【発明が解決しようとする課題】
ところが、分離タイプのプリンタ装置にあっては、コンピュータ受信用紙と、ファクシミリ受信用紙とは一つの排紙トレーへ送られ、該排紙トレーで受止められるため、排紙トレーで受止められた用紙が、コンピュータ受信用紙かファクシミリ受信用紙かの区別がつかないという不具合があった。
【０００６】
また、一体タイプのプリンタ装置にあっては、プリンタに画像データ処理部が設けられているため、画像データ処理部を有するファクシミリ機能が必要でなく、プリンタの機能があれば事足りる顧客に対してプリンタのコストがファクシミリ機能を備えていないものに比べて高くなるという問題があった。
【０００７】
本発明は斯かる事情に鑑みてなされたものであり、プリンタ機能があれば事足りる顧客に対してプリンタを安価に販売することができるとともに、ファクシミリ機をプリンタに装着したときは、コンピュータ受信用紙とファクシミリ受信用紙とを自動分別することができるプリンタ装置を提供することを目的とする。
【０００８】
【課題を解決するための手段】
本発明に係るプリンタ装置は、給紙部から給送された用紙に画像データを印写する印写部及び該印写部から給送された用紙を排紙トレーへ送る排紙部を有するプリンタに、ファクシミリ受信によって前記印写部が印写した用紙を受ける受信トレーと、前記排紙部から排紙トレーへ送られる用紙の経路を前記排紙トレー及び受信トレーへ切換える切換え手段とを備えたファクシミリ機が取外しを可能に装着されていることを特徴とする。
【０００９】
この発明にあっては、切換え手段によってコンピュータ受信用紙と、ファクシミリ受信用紙とに自動分別することができ、しかも、取外しを可能としたファクシミリ機が受信トレー及び切換え手段を有するため、ファクシミリ機を取外し、プリンタを単体で販売することができ、プリンタ機能があれば事足りる顧客に対してプリンタを安価に販売することができる。
【００１０】
【発明の実施の形態】
以下本発明をその実施の形態を示す図面に基づいて詳述する。図１は本発明に係るプリンタ装置の模式的側面図、図２はファクシミリ機を取外した状態の模式的側面図である。
【００１１】
プリンタ装置は、印写部１を有するプリンタＡに、原稿を読み取る手段及び読み取った原稿の画像データを送信する手段を有する画像データ処理部２を備え、ファクシミリ受信を可能としたファクシミリ機Ｂが取外しを可能に装着されている。
【００１２】
プリンタＡは、上面に給紙部３及び排紙トレー４を有するケーシング５内に、前記給紙部３から給送された用紙を案内する第１の案内輪６と、該案内輪６から給送された用紙に文字等の画像データを印写する前記印写部１と、該印写部１から給送された用紙Ｃを案内する第２及び第３の案内輪７，８と、該案内輪８から給送された用紙Ｃを前記排紙トレー４へ送る排紙部９とが設けられている。
【００１３】
図３はファクシミリ機を拡大した模式的側面図である。ファクシミリ機Ｂは、上面に原稿送り部１０及びファクシミリ受信によって前記印写部１が印写した用紙Ｃを受止める受信トレー１１を有し、一側面に原稿トレー１２を有するハウジング１３内に、前記原稿送り部１０から給送された原稿Ｄの画像データを処理する前記画像データ処理部２と、該画像データ処理部２と向き合うように配されて前記原稿Ｄを給送する給送ローラ１４と、該給送ローラ１４を回転させるモータ（図示せず）と、前記画像データ処理部２から給送された原稿Ｄを前記原稿トレー１２へ送る排紙部１５と、前記排紙部９から排紙トレー４へ送られる用紙Ｃの経路を前記排紙トレー４及び受信トレー１１へ切換える切換え手段２０と、この切換え手段２０の切換えによって送られる用紙Ｃを前記受信トレー１１へ案内する案内輪１６と、一対の送り輪１７と、前記切換え手段２０の切換え状態を検出するセンサ１８とが設けられている。尚、ファクシミリ機ＢをプリンタＡに取外しを可能に装着する手段の構成は特に制限されない。
【００１４】
図４は切換え手段の正面図、図５は図４のV −V 線の断面図、図６は図４のVI−VI線の断面図である。切換え手段２０は、前記モータの回転に連動する回転輪２１と、該回転輪２１に一方向回転伝達機構２２を介して連動する伝動杆２３と、該伝動杆２３に連動して受信トレー１１へ送られる用紙Ｃの経路を遮断／開放する位置へ揺動し、前記用紙Ｃに当接する切換体２４とを備えており、この切換体２４が受信トレー１１へ送られる用紙Ｃの経路に配されている。
【００１５】
切換体２４は、前記ハウジング１３に枢支軸２５を介して枢支される基部と、該基部の両側から楔状に尖がる尖部とを備え、該尖部の二面が前記排紙部９から送られる用紙Ｃに当接する第１及び第２の当接面２４ａ，２４ｂとしてあり、遮断位置へ揺動したとき用紙Ｃが第１の当接面２４ａに当接して排紙トレー４へ送り、開放位置へ揺動したとき用紙Ｃが第２の当接面２４ｂに当接して受信トレー１１へ送る。
【００１６】
回転輪２１は、給送ローラ１４の端部周面に設けられた歯部と伝動輪２６を介して噛合する歯部２１ａを有し、前記モータの回転に連動して一方向及び他方向へ回転する。
【００１７】
伝動杆２３は前記回転輪２１及び切換体２４の間に配され、回転輪２１の回転を切換体２４に伝達する。この伝動杆２３の一端部及び中間部には、前記回転輪２１を支持する軸体２７及び前記切換体２４の近傍に配される案内軸２８に挿入支持される長孔２３ａ，２３ｂが設けてあり、また、他端部には前記切換体２４の偏心位置に連結軸２９を介して連結される長孔２３ｃが設けてあり、前記軸体２７の一端部に巻装されたばね体３０によって前記回転輪２１へ付勢されている。
【００１８】
一方向回転伝達機構２２は、前記回転輪２１の一側面であり、回転中心部の周りに設けられた長円カム溝３１及び該長円カム溝３１を短絡する丸カム溝３２と、これら長円カム溝３１及び丸カム溝３２に係合し、前記伝動杆２３に設けられた突起３３とを備えている。
【００１９】
図７は長円カム溝及び丸カム溝とカムとの関係を示す説明図、図８は切換え手段を駆動した状態の正面図、図９は図８のIX−IX線の断面図、図１０は図８のX −X 線の断面図である。
【００２０】
長円カム溝３１及び丸カム溝３２の周長方向中間であり、溝同士が連通する連通部には夫々一つのカム３１ａ，３２ａが設けられており、これらカム３１ａ，３２ａによって前記突起３３が長円カム溝３１又は丸カム溝３２と係合する。即ち、前記モータが一方向へ回転し原稿Ｄを給送するとき、回転輪２１が図４の時計方向へ回転し、突起３３が丸カム溝３２のカム３２ａと係合し、突起３３の位置を変えることなく回転輪２１が回転する。また、前記モータが他方向へ回転するとき、回転輪２１が図４の反時計方向へ回転し、突起３３が長円カム溝３１のカム３１ａと係合し、突起３３の位置を伝動杆２３の長手方向へ変えつつ回転輪２１が回転する。
【００２１】
従って、モータが一方向へ回転するとき前記伝動杆２３が移動することを防止でき、モータが他方向へ回転するとき前記伝動杆２３をその長手方向へ移動させることができ、この伝動杆２３に連動して切換体２４を揺動させることができる。この場合、切換体２４は遮断位置及び開放位置への揺動を繰り返すことになるが、開放位置への揺動と前記用紙Ｃの給送とを同期させ、開放位置へ揺動したとき用紙Ｃを第２の当接面２４ｂに当接させる。
【００２２】
センサ１８は、前記伝動杆２３の長手方向中間に設けられた突片３４と接触が可能な接触子を有し、センサ１８が検出した位置情報を前記ファクシミリ機Ｂに表示することができるようにしてある。
【００２３】
以上の如く構成されたプリンタ装置は、原稿送り部１０から給送された原稿Ｄの画像データが画像データ処理部２で処理されるとき、モータが一方向へ回転し、給送ローラ１４が回転して前記原稿Ｄが原稿トレー１２へ送られる。このとき、モータの回転は一方向回転伝達機構２２によって切換体２４に伝達されないため、該切換体２４は遮断位置に停止している。即ち、モータの一方向への回転に連動して回転輪２１が図４の時計方向へ回転し、伝動杆２３の突起３３が丸カム溝３２のカム３２ａと係合し、突起３３の位置を変えることなく回転輪２１が回転することになるため、切換体２４は遮断位置に停止し、受信トレー１１へ送られる用紙Ｃの経路が遮断されている。
【００２４】
また、プリンタ装置に接続されるパーソナルコンピュータから印写信号が出力されたとき、給紙部３から印写部１へ用紙が給送されるとともに、該印写部１で画像データが印写され、用紙Ｃが排紙部９へ給送される。このとき、前記モータは回転しないため、切換体２４は遮断位置に停止し、受信トレー１１へ送られる用紙Ｃの経路が遮断されている。従って、排紙部９へ給送された用紙Ｃは切換体２４の第１の当接面２４ａに当接し、排紙トレー４へ送られる。
【００２５】
図１１は切換え手段が用紙の経路を切換えた状態の模式的側面図、図１２はファクシミリ機を拡大した模式的側面図である。また、プリンタ装置に接続される他機のファクシミリ機から印写信号が出力されたとき、給紙部３から印写部１へ用紙が給送されるとともに、該印写部１で画像データが印写され、用紙Ｃが排紙部９へ給送される。このとき、前記モータは他方向へ回転し給送ローラ１４が空転するとともに、回転輪２１が他方向へ回転し、モータの回転が一方向回転伝達機構２２及び伝動杆２３を介して切換体２４に伝達され、該切換体２４は開放位置へ揺動し、受信トレー１１へ送られる用紙Ｃの経路が開放される。
【００２６】
即ち、モータの他方向への回転に連動して回転輪２１が図４の反時計方向へ回転し、突起３３が長円カム溝３１のカム３１ａと係合し、突起３３の位置を伝動杆２３の長手方向へ変えつつ回転輪２１が回転するとともに、伝動杆２３が図４の矢印Ｆ方向へ移動し、該伝動杆２３に連動して切換体２４が開放位置へ揺動し、受信トレー１１へ送られる用紙Ｃの経路が開放される。従って、排紙部９へ給送された用紙Ｃは切換体２４の第２の当接面２４ｂに当接し、受信トレー１１へ送ることができる。このようにパーソナルコンピュータが出力した印写信号によって画像データが印写されたコンピュータ受信用紙と、他機のファクシミリ機が出力した印写信号によって画像データが印写されたファクシミリ受信用紙とに自動分別することができる。
【００２７】
尚、以上説明した実施の形態では、給送ローラ１４を駆動するモータを切換え手段２０の駆動源としたが、その他、前記モータとは別個に切換え手段２０を駆動するための駆動手段を設けてもよい。
【００２８】
また、切換え手段２０は一方向回転伝達機構２２を備えた構成とする他、例えば一つの前記切換体２４を一つの電磁ソレノイドが揺動、又は、一対の切換体を一対の電磁ソレノイドが移動させる構成としてもよいのであり、切換え手段２０の構成も特に制限されない。
【００２９】
【発明の効果】
以上詳述した如く第１発明によれば、切換え手段によってコンピュータ受信用紙と、ファクシミリ受信用紙とに自動分別することができ、しかも、ファクシミリ機を取外し、プリンタを単体で販売することができるため、プリンタ機能があれば事足りる顧客に対してプリンタを安価に販売することができる。
【図面の簡単な説明】
【図１】  本発明に係るプリンタ装置の模式的側面図である。
【図２】  本発明に係るプリンタ装置のファクシミリ機を取外した状態の模式的側面図である。
【図３】  本発明に係るプリンタ装置に装着されたファクシミリ機を拡大した模式的側面図である。
【図４】  切換え手段の正面図である。
【図５】  図４のV −V 線の断面図である。
【図６】  図４のVI−VI線の断面図である。
【図７】  長円カム溝及び丸カム溝とカムとの関係を示す説明図である。
【図８】  切換え手段を駆動した状態の正面図である。
【図９】  図８のIX−IX線の断面図である。
【図１０】  図８のX −X 線の断面図である。
【図１１】  切換え手段が用紙の経路を切換えた状態の模式的側面図である。
【図１２】  本発明に係るプリンタ装置のファクシミリ機を拡大した模式的側面図である。
【図１３】  従来のプリンタ装置の模式的側面図である。
【符号の説明】
Ａ  プリンタ
Ｂ  ファクシミリ機
１  印写部
３  給紙部
４  排紙トレー
９  排紙部
１１  受信トレー
１４  給送ローラ
２０  切換え手段
２１  回転輪
２２  一方向回転伝達機構
２３  伝動杆
２４  切換体
３１  長円カム溝
３２  丸カム溝
３３  突起
Ｃ  用紙
Ｄ  原稿
【図１】
0004487360.tif 000002
【図２】
0004487360.tif 000003
【図３】
0004487360.tif 000004
【図４】
0004487360.tif 000005
【図５】
0004487360.tif 000006
【図６】
0004487360.tif 000007
【図７】
0004487360.tif 000008
【図８】
0004487360.tif 000009
【図９】
0004487360.tif 000010
【図１０】
0004487360.tif 000011
【図１１】
0004487360.tif 000012
【図１２】
0004487360.tif 000013
【図１３】
0004487360.tif 000014